(57)【要約】【課題】焦点調節の対象とする領域を容易に変更することができる焦点検出装置、光学装置、カメラを提供する。【解決手段】エリア切り替え制御部３２０は、エリア切り替え部材３００とＡＦモード設定部３１０とを参照して測距エリアの変更を行う。【選択図】図１
2007240566.tif 000002
【特許請求の範囲】
【請求項１】
異なる方式により光学系の焦点調節状態を検出する焦点検出手段と、
前記焦点検出手段の前記異なる方式に対して選択的に、前記光学系による撮影画面内に設定された焦点検出領域のうち、前記光学系の焦点調節の対象とする領域を変更する変更手段とを備えたこと、
を特徴とする焦点検出装置。
【請求項２】
請求項１に記載の焦点検出装置であって、
前記焦点検出手段は、前記撮影画面内に設定される第１の焦点検出領域における前記焦点調節状態を検出する第１焦点検出手段と、
前記第１の焦点検出領域とは異なる第２の焦点検出領域における前記焦点調節状態を検出する第２の焦点検出手段とを有すること、
を特徴とする焦点検出装置。
【請求項３】
光学系による撮影画面内の、それぞれ異なる複数の焦点検出領域について焦点調節状態を検出する、方式の異なる第１及び第２の焦点検出手段と、
前記第１及び第２の焦点検出手段に対して選択的に、前記光学系の焦点調節の対象とする焦点検出領域を変更する変更手段とを備えたこと、
を特徴とする焦点検出装置。
【請求項４】
光学系による被写体像のうち、撮影画面内に設定された第１の焦点検出領域に対応する像を受光して得られる出力に基づいて、前記光学系の焦点調節状態を検出する第１の焦点検出手段と、
前記被写体像のうち、前記撮影画面内に設定された第２の焦点検出領域に対応する像を受光して得られる出力に基づいて、前記第１の焦点検出部とは異なる方式により前記光学系の焦点調節状態を検出する第２の焦点検出手段と、
焦点調節対象とする前記第１の焦点検出領域を変更可能であるとともに、焦点調節対象とする前記第２の焦点検出領域を変更可能な変更手段とを備えたこと、
を特徴とする焦点検出装置。
【請求項５】
請求項２から請求項４までのいずれか１項に記載の焦点検出装置であって、
前記第１の焦点検出手段により焦点検出を行う第１モードと前記第２の焦点検出手段により焦点検出を行う第２モードとを選択する選択部と、
前記第１モードが選択された場合に前記変更手段を操作することにより前記第１の焦点検出領域を変更し、前記第２モードが選択された場合に前記変更手段を操作することにより前記第２の焦点検出領域を変更する制御手段とを備えたこと、
を特徴とする焦点検出装置。
【請求項６】
請求項１から請求項５までのいずれか１項に記載の焦点検出装置と、
検出した前記焦点調節状態に基づいて前記光学系の焦点調節を行う焦点調節手段とを備えたこと、
を特徴とする焦点調節装置。
【請求項７】
請求項１から請求項５までのいずれか１項に記載の焦点検出装置を備えたことを特徴とする光学装置。
【請求項８】
請求項６に記載の焦点検出装置を備えたことを特徴とするカメラ。
【発明の詳細な説明】
【技術分野】
【０００１】
本発明は、異なる方式により光学系の焦点調節状態を検出することができる焦点検出装置、光学装置、カメラに関するものである。
【背景技術】
【０００２】
焦点検出の方式として、位相差方式とコントラスト方式とが知られている。
位相差方式の焦点検出エリアは、近年になって焦点検出エリアが撮影画面内の中央部だけではなく、周辺部に複数設けられるようになってきた。この焦点検出エリアは、撮影画面内の所定の位置に対応して固定的に設けられており、これら複数の焦点検出エリアの中から特定のエリアを選択して用いるものである。焦点検出エリアを選択するための構成については、例えば、特許文献１に開示されている。
【０００３】
また、コントラスト方式は、撮像面上のいずれの位置でも焦点検出が可能という性質から、焦点検出エリア設定（位置、大きさ、数など）の自由度は、位相差方式よりも高い。従って、撮影画面内の任意の位置を焦点検出エリアとして選択するという方法が一般的である。
【特許文献１】特開平１１−１０９４８１号公報
【発明の開示】
【発明が解決しようとする課題】
【０００４】
位相差方式とコントラスト方式を併用する、いわゆるハイブリッドＡＦにおいては異なる態様による焦点検出エリアを選択するための手段についての提案はなされていなかった。
本発明の課題は、ハイブリッドＡＦにおいて、煩雑な操作を必要とすることなく焦点調節の対象とする領域を容易に変更することができる焦点検出装置、光学装置、カメラを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、異なる方式により光学系（２１０ａ，２１０ｂ，２１０ｃ，２１０ｄ）の焦点調節状態を検出する焦点検出手段（２０，３６０，１００）と、前記焦点検出手段の前記異なる方式に対して選択的に、前記光学系による撮影画面内に設定された焦点検出領域のうち、前記光学系の焦点調節の対象とする領域を変更する変更手段（３００）とを備えたこと、を特徴とする焦点検出装置である。
請求項２の発明は、請求項１に記載の焦点検出装置であって、前記焦点検出手段（２０，３６０，１００）は、前記撮影画面内に設定される第１の焦点検出領域（６１０）における前記焦点調節状態を検出する第１焦点検出手段（２０，３６０）と、前記第１の焦点検出領域とは異なる第２の焦点検出領域（５１０）における前記焦点調節状態を検出する第２の焦点検出手段（１００）とを有すること、を特徴とする焦点検出装置である。
請求項３の発明は、光学系（２１０ａ，２１０ｂ，２１０ｃ，２１０ｄ）による撮影画面内の、それぞれ異なる複数の焦点検出領域（５１０，６１０）について焦点調節状態を検出する、方式の異なる第１及び第２の焦点検出手段（２０，３６０，１００）と、前記第１及び第２の焦点検出手段に対して選択的に、前記光学系の焦点調節の対象とする焦点検出領域を変更する変更手段（３００）とを備えたこと、を特徴とする焦点検出装置である。
請求項４の発明は、光学系（２１０ａ，２１０ｂ，２１０ｃ，２１０ｄ）による被写体像のうち、撮影画面内に設定された第１の焦点検出領域（６１０）に対応する像を受光して得られる出力に基づいて、前記光学系の焦点調節状態を検出する第１の焦点検出手段（２０，３６０）と、前記被写体像のうち、前記撮影画面内に設定された第２の焦点検出領域（５１０）に対応する像を受光して得られる出力に基づいて、前記第１の焦点検出部とは異なる方式により前記光学系の焦点調節状態を検出する第２の焦点検出手段（１００）と、焦点調節対象とする前記第１の焦点検出領域を変更可能であるとともに、焦点調節対象とする前記第２の焦点検出領域を変更可能な変更手段（３００）とを備えたこと、を特徴とする焦点検出装置である。
請求項５の発明は、請求項２から請求項４までのいずれか１項に記載の焦点検出装置であって、前記第１の焦点検出手段（２０，３６０）により焦点検出を行う第１モードと前記第２の焦点検出手段（１００）により焦点検出を行う第２モードとを選択する選択部（３１０）と、前記第１モードが選択された場合に前記変更手段（３００）を操作することにより前記第１の焦点検出領域を変更し、前記第２モードが選択された場合に前記変更手段を操作することにより前記第２の焦点検出領域を変更する制御手段（３２０）とを備えたこと、を特徴とする焦点検出装置である。
請求項６の発明は、請求項１から請求項５までのいずれか１項に記載の焦点検出装置と、検出した前記焦点調節状態に基づいて前記光学系（２１０ａ，２１０ｂ，２１０ｃ，２１０ｄ）の焦点調節を行う焦点調節手段（３４０，３５０，２４０）とを備えたこと、を特徴とする焦点調節装置である。
請求項７の発明は、請求項１から請求項５までのいずれか１項に記載の焦点検出装置を備えたことを特徴とする光学装置である。
請求項８の発明は、請求項６に記載の焦点検出装置を備えたことを特徴とするカメラである。
なお、符号を付した構成は適宜改良してもよい。また、少なくとも一部を他の構成物に代替してもよく、その配置について特に限定のない構成要件は、実施例で開示した配置に限らない。
【発明の効果】
【０００６】
本発明によれば、ハイブリッドＡＦにおいて、煩雑な操作を必要とすることなく焦点調節の対象とする領域を容易に変更することができる。
【発明を実施するための最良の形態】
【０００７】
図１は、本実施の形態によるカメラを示す図である。なお、図１では、カメラの制御を説明するブロック図をカメラボディ及びレンズ鏡筒の周りに併せて示しているが、この制御系は、カメラボディ及びレンズ鏡筒の内部に含まれるものである。
本実施の形態のカメラは、カメラボディ１０とレンズ鏡筒２００とを有し、カメラボディ１０に対してレンズ鏡筒２００が着脱可能なレンズ交換式のカメラである。なお、このようなレンズ交換式に限らず、レンズ鏡筒の交換ができないカメラであってもよい。
【０００８】
また、本実施の形態のカメラは、オートフォーカス（ＡＦ）の方式として、位相差方式とコントラスト方式との２種類のＡＦ方式を実行可能であり、撮影者は、後述するＡＦモード設定部３１０によりこれら２種類のＡＦ方式の中から使用したい方式を選択して設定することができる。そこで、本実施の形態のカメラの構成を説明する前に、これら２つの方式について説明する。
位相差方式は、一眼レフカメラに多く用いられている方式である。位相差方式は、被写体の視差のある二つの像を一対の光電変換素子列（ラインセンサ）に導き、それぞれの素子列の出力から二つの像の相対的なずれ量を算出して焦点検出を行う。この方式では、焦点ずれ量（＝撮像面と等価な位置から実際の結像面位置までの距離）が検出される。ラインセンサにより検出された焦点ずれ量から、焦点ずれ量が０になる（ピントが合う）ようにすべく、焦点調節用のレンズを駆動して合焦動作を行う。
【０００９】
コントラスト方式は、ビデオカメラやコンパクトデジタルカメラ等に多く用いられている方式である。コントラスト方式では、焦点調節用のレンズを動かしながら、撮像素子により得られた画像のコントラストに対応する焦点評価値を検出し、焦点評価値が最も高いレンズ位置を合焦位置とする。
なお、位相差方式及びコントラスト方式のいずれの方法であっても、通常、合焦動作は、カメラに設けられた所定のスイッチを撮影者が操作する（例えば、不図示のレリーズボタンの半押しなど）ことにより開始される。
【００１０】
図１に戻って、本実施の形態のカメラの説明を続ける。
カメラボディ１０は、撮像素子２０，フォーカシングスクリーン２５，ペンタプリズム３０，測光素子４０，接眼レンズ５０，接眼部６０，クイックリターンミラー７０，サブミラー８０，固定ミラー９０，位相差方式ＡＦ検出素子１００等を有している。
撮像素子２０は、後述するレンズ鏡筒２００の撮影レンズ２１０が結像した像を電気信号に変換して出力する素子である。なお、図１では、特に分けて示していないが、撮像面の前面には、赤外光をカットする赤外カットフィルタや、光学的ローパスフィルタ等が配置されているが、ここでは、これらも含めて撮像素子とする。
【００１１】
フォーカシングスクリーン２５は、クイックリターンミラー７０により反射された被写体像を結像させるスクリーンであり、クイックリターンミラー７０とペンタプリズム３０との間に配置されている。
ペンタプリズム３０は、フォーカシングスクリーン２５に結像した像を、正立像とし、接眼レンズ５０，接眼部６０等に導くプリズムであり、その断面形状は、図１に示すように五角形である。ペンタプリズム３０は、カメラボディ１０を横位置に構えた状態の上部に収容されている。フォーカシングスクリーン２５からの光軸は、このペンタプリズム３０によって、接眼レンズ５０，接眼部６０の他、測光素子４０へと導かれる。
【００１２】
測光素子４０は、像の明るさを測定する測光素子であり、設定ＩＳＯ感度と、測光した被写体の輝度に応じて、適正露出となるシャッタースピードや絞り値を決定する。その他、図示しないが、これに受光させる光学系及びこれらの保持、調整機構等を備えている。測光素子４０は、接眼レンズ５０の上部に設けられている。
接眼レンズ５０は、ペンタプリズム３０により正立像とされた被写体像を、拡大観察する光学系であり、ペンタプリズム３０よりも背面側に配置されている。
接眼部６０は、接眼レンズ５０よりも背面側に配置され、ファインダの覗き窓となる部分である。
【００１３】
クイックリターンミラー７０は、撮影レンズ２１０を通過した被写体光をフォーカシングスクリーン２５及びペンタプリズム３０方向へ反射する鏡であり、カメラボディ１０内に、回動可能に設けられている。
なお、クイックリターンミラー７０は、その中心付近がハーフミラーになっており、撮影レンズ２１０を通った光の一部は、後述するようにサブミラー８０を介して位相差方式ＡＦ検出素子１００に導入される。
【００１４】
ＡＦモードが後述のＡＦモード設定部３１０により位相差方式に設定されている場合の露光前には、クイックリターンミラー７０は、図１のように撮影レンズ２１０の光軸に対して約４５度傾けた反射位置に配置され撮像素子２０を塞ぐとともに、撮影レンズ２１０からの光をフォーカシングスクリーン２５及びペンタプリズム３０方向へ反射する。
また、ＡＦモードとして位相差方式が設定されている場合の露光時には、クイックリターンミラー７０は、反射面がフォーカシングスクリーン２５と略平行になる退避位置に跳ね上がり、撮影レンズ２１０のからの光は、撮像素子２０へ到達できるようになる。
一方、ＡＦモードがコントラスト方式に設定されている場合には、クイックリターンミラー７０は、常に退避位置に跳ね上がっており、撮影レンズ２１０からの光は、常に撮像素子２０へ到達できる。
【００１５】
サブミラー８０は、撮影レンズ２１０及びクイックリターンミラー７０のハーフミラー部を透過した光をカメラボディ１０の底面側に設置された固定ミラー９０側に反射する鏡であり、クイックリターンミラー７０の裏面に回動可能に支持されている。このサブミラー８０は、クイックリターンミラー７０が退避位置に跳ね上がると、クイックリターンミラー７０と共に光軸に対して略平行になる位置まで退避する。
固定ミラー９０は、サブミラー８０により反射されて届いた光の方向を位相差方式ＡＦ検出素子１００の方向へ反射して光路を曲げる鏡である。
【００１６】
位相差方式ＡＦ検出素子１００は、サブミラー８０、固定ミラー９０を介した被写体光を不図示のマスクにより２つに分けた後、不図示の２つのラインセンサ上に再結像させ、ラインセンサ上の像の相対的なずれ量を算出することにより、撮影レンズ２１０の焦点調節状態を検出するセンサである。
図２は、本実施の形態のカメラのファインダ視野５００を示す図である。図２では、ファインダ視野５００内に測距エリア５１０が１１カ所設けられており、これらのエリアそれぞれに対して位相差方式ＡＦ検出素子１００に含まれる一組のラインセンサが対応している。位相差方式では、この１１カ所設けられた測距エリア５１０の内で、後述するエリア切り替え部材３００を操作することにより選択した測距エリア５１０に重なった（捉えた）被写体に対して焦点検出を行う。なお、１１カ所設けられている測距エリア５１０の中で選択されているエリアについては、照明光を照射する等して、撮影者が目視確認できるようになっている。
【００１７】
図３は、本実施の形態のカメラの背面図である。
カメラボディ１０の背面には、接眼部６０の他に、エリア切り替え部材３００，電子ビューファインダ６００が設けられている。
エリア切り替え部材３００は、撮影者が操作することにより、焦点検出に使用する測距エリアを切り替える（以下、測距エリアの変更）時に操作される部材である。このエリア切り替え部材３００は、上下左右の４方向の入力を選択的に行うことができる操作部材であり、撮影者が測距エリアを変更したい方向にエリア切り替え部材３００を押して操作する。測距エリアの変更については、後に詳しく説明する。
電子ビューファインダ６００は、撮影した画像を確認するための液晶表示デバイスである。電子ビューファインダ６００は、コントラスト方式の測距エリアの表示も行うことができる。
【００１８】
図４は、電子ビューファインダ６００に表示されるコントラスト方式の測距エリアを示す図である。
撮影者は、この電子ビューファインダ６００により、コントラスト方式時の選択された測距エリアの位置を確認できる。
図４中に破線で囲んだ部分がコントラスト方式の検出エリアであり、本実施の形態では、この検出エリアを３５カ所に分けて測距エリア６１０を設定可能となっている。コントラスト方式では、この３５カ所設けられた測距エリア６１０の内で、エリア切り替え部材３００を操作することにより選択した測距エリア６１０に重なった（捉えた）被写体に対して焦点検出を行う。なお、３５カ所設けられている測距エリア６１０の中で選択されているエリアについては、表示色を変更する等して、撮影者が目視確認できるようになっている。
【００１９】
図１に戻って、レンズ鏡筒２００は、カメラボディ１０に対して着脱可能な交換レンズであり、撮影レンズ２１０，ズ−ムエンコーダ２２０，距離エンコーダ２３０，フォーカス駆動モータ２４０，絞り２５０等を有している。
撮影レンズ２１０は、被写体像を撮像素子２０の撮像面上に結像させる光学系であり、第１レンズ群２１０ａ，第２レンズ群２１０ｂ，第３レンズ群２１０ｃ，第４レンズ群２１０ｄを有している。
第１レンズ群２１０ａは、撮影レンズ２１０の最も被写体側に配置されたレンズ群である。
第２レンズ群２１０ｂは、焦点距離調節レンズ群（ズームレンズ群）として光軸方向に移動可能な構成となっている。通常は、図示しないズーム操作環等を撮影者が操作することにより第２レンズ群２１０ｂの位置が変化し、それに応じて光学系全体の焦点距離が変わる、いわゆるズーム動作が行われる。第２レンズ群２１０ｂの位置は、ズームエンコーダ２２０により位置検出が行われる。
【００２０】
第３レンズ群２１０ｃは、焦点調節レンズ群（フォーカスレンズ群）として光軸方向に移動可能な構成となっている。第３レンズ群２１０ｃは、後述するレンズ駆動信号演算部３５０で演算されたレンズ駆動信号に従ってフォーカス駆動モータ２４０により駆動される。第３レンズ群２１０ｃの位置は、距離エンコーダ２３０により位置検出が行われる。
第４レンズ群２１０ｄは、撮影レンズ２１０の最も撮像素子側に配置されたレンズ群である。
【００２１】
ズ−ムエンコーダ２２０は、第２レンズ群２１０ｂ（焦点距離調節レンズ）の位置、すなわち焦点距離情報を得るセンサである。
距離エンコーダ２３０は、第３レンズ群２１０ｃの位置、すなわち撮影距離情報（撮像面から被写体までの距離に関する情報）を得るセンサである。
ズ−ムエンコーダ２２０及び距離エンコーダ２３０が得た焦点距離情報及び撮影距離情報の信号は、レンズ目標位置駆動演算部３４０へ送信される。
フォーカス駆動モータ２４０は、第３レンズ群２１０ｃを光軸方向に駆動するアクチュエータであり、例えば、超音波モータ等が用いられている。フォーカス駆動モータ２４０を動作させる信号は、レンズ駆動信号演算部３５０から送られてくる。
【００２２】
絞り２５０は、撮像素子に届く光の量を調整する開口絞りである。絞り２５０の開口径、すなわち絞り値の設定は、カメラが自動的に行う場合と、撮影者が行う場合とがある。プログラムモードやシャッタースピード優先モードの場合は、測光素子４０の出力等から絞り値を決定する。絞り優先モードやマニュアルモードの場合は、撮影者が設定する。
絞り２５０は、カメラ又は撮影者が設定した値に応じて不図示の絞り制御モータ等により制御される。
【００２３】
ＡＦモード設定部３１０は、撮影者が操作することにより、ＡＦモードを変更及び設定する部分である。先に述べたように、本実施の形態では、位相差方式ＡＦ検出素子１００を使う位相差方式ＡＦモードか、撮像素子２０の出力を使うコントラスト方式ＡＦモードかのいずれかを選択できる。
エリア切り替え部材３００は、撮影者が操作することにより、使用する測距エリアの位置を変更する操作部材である。本実施の形態では、上下左右の４方向の入力を一つの部材により行うことができるいわゆる十字キータイプの操作部材を使用している。なお、エリア切り替え部材３００は、ジョイスティックやコマンドダイヤルなど、どのような形態であってもよい。
【００２４】
エリア切り替え制御部３２０は、エリア切り替え部材３００の操作とＡＦモード設定部３１０の設定情報とを用いて、測距エリアの切り替えを制御する部分である。
エリア切り替え部材３００が操作されると、エリア切り替え制御部３２０が、ＡＦモード設定部３１０の設定情報を参照して、位相差方式ＡＦモードとコントラスト方式ＡＦモードとのいずれのモードに設定されているのかを判断し、設定されているＡＦモードに対応した測距エリアの変更を行う。
（位相差方式ＡＦモード時の測距エリアの変更）
位相差方式ＡＦモードが選択されている場合は、エリア切り替え部材３００の操作により、図２に示した１１カ所の測距エリア５１０の中から実際に測距に使用する測距エリアを変更する。
（コントラスト方式ＡＦモード時の測距エリアの変更）
コントラスト方式ＡＦモードが選択されている場合は、エリア切り替え部材３００の操作により、図４に示した３５カ所の測距エリア６１０の中から実際に測距に使用する測距エリアを変更する。
【００２５】
図１に戻って、デフォーカス量演算部３３０は、位相差方式ＡＦ検出素子１００の検出結果から、焦点位置の撮像面からの焦点ずれ量、すなわちピントの焦点ずれ量を表すデフォーカス量を算出する部分である。
レンズ目標位置演算部３４０は、デフォーカス量演算部３３０が演算したデフォーカス量の演算結果、又は、コントラスト算出部３６０が算出したコントラスト値を参照して、第３レンズ群２１０ｃの駆動位置の目標となるレンズ目標位置を演算する部分である。ここでいうレンズ目標位置は、位相差方式ＡＦモードとコントラスト方式ＡＦモードで少々意味合いが異なるので、分けて説明する。
【００２６】
（位相差方式ＡＦモード時のレンズ目標位置）
位相差方式ＡＦモード時のレンズ目標位置は、目標位置にレンズを駆動した時にデフォーカス量＝０となる位置である。
（コントラスト方式ＡＦモード時のレンズ目標位置）
コントラスト方式ＡＦモードでは、合焦となる位置を目標位置として求めるのではなく、第３レンズ群２１０ｃを除々に動かしながらコントラスト値を算出し、コントラストのピークが見つかったらその位置にレンズを停止させることで焦点調節する。従って、コントラストのピークが見つかる前と見つかった後では、目標駆動位置の意味が異なる。
コントラストのピークが見つかる前は、予め決められた駆動量でレンズを動かしながらコントラストを算出し、コントラストのピークを探す動作を行う。この場合は、予め決められた駆動量が目標位置となる。
コントラストのピークが見つかった後は、その位置にレンズを持っていってピントを合わせるため、コントラストのピーク位置が目標駆動位置となる。
【００２７】
レンズ駆動信号演算部３５０は、レンズ目標位置演算部３４０が演算するレンズ目標位置出力に応じてレンズ駆動信号を演算する部分である。
コントラスト算出部３６０は、コントラスト方式ＡＦモードが選択されている場合に、撮像素子２０からの画像出力のうち、選択されている測距エリアに該当する部分の焦点評価値を算出する部分である。なお、コントラストの算出方式は、画像信号にフィルタ処理を施し、その結果を積算する方法が一般的であるが、特にこの方法には限らない。
【００２８】
次に、本実施の形態のカメラの測距エリアを変更する動作について説明する。
図５は、本実施の形態のカメラの測距エリアを変更する動作を示すフローチャートである。なお、図５に示したフローチャートは、不図示のカメラのメインスイッチＯＮと同時に動作が開始され、メインスイッチＯＦＦと同時に動作が終了する。
ステップ（以下、Ｓとする）１００では、エリア切り替え部材３００が操作されたか否かを判定する。エリア切り替え部材３００が操作されていない場合は、Ｓ１００へ戻りエリア切り替え部材３００が操作されたか否かの判定を継続する。エリア切り替え部材３００が操作されていた場合には、Ｓ２００へ進む。
【００２９】
Ｓ２００では、ＡＦモード設定部３１０により設定されているＡＦモードの設定情報を読み込み、Ｓ３００へ進む。
Ｓ３００では、Ｓ２００で読み込んだＡＦモードの設定情報を判定し、位相差方式ＡＦモードとコントラスト方式ＡＦモードとのいずれのモードに設定されているのかを判断する。位相差方式ＡＦモードに設定されている場合はＳ４００へ進み、コントラスト方式ＡＦモードに設定されている場合はＳ５００へ進む。
【００３０】
Ｓ４００では、位相差方式ＡＦモード時の測距エリア５１０の変更を行う。例えば、エリア切り替え部材３００が図３中の右方向に押された場合には、現在のエリアから一つ右のエリアへ、測距に使用する測距エリア５１０を切り替える。ただし、この場合は、コントラスト方式ＡＦモードで使用する測距エリアの変更は行わない。
【００３１】
Ｓ５００では、コントラスト方式ＡＦモード時の測距エリア６１０の変更を行う。例えば、エリア切り替え部材３００が図３中の右方向に押された場合には、現在のエリアから一つ右のエリアへ、測距に使用する測距エリア６１０を切り替える。ただし、この場合は、位相差方式ＡＦモードで使用する測距エリアの変更は行わない。
【００３２】
本実施の形態では、エリア切り替え部材３００を操作するだけで、撮影者は現在のＡＦモードがいずれの設定になっているのかを特に意識しなくても、測距エリアの変更を行うことができ、操作が煩わしくなく、快適に操作を行える。
また、ＡＦモード毎に専用の操作部材を用意する必要がないので、部品点数が少なくなり、安価に提供できる。
【００３３】
（変形例）
以上説明した実施例に限定されることなく、種々の変形や変更が可能であって、それらも本発明の均等の範囲内である。
本実施の形態において、位相差方式とコントラスト方式とを有した例を挙げて説明したが、これに限らず、ＡＦ方式は、複数のＡＦエリアを有していればよい。
【００３４】
また、本実施の形態において、位相差方式とコントラスト方式とでは、測距エリアの位置及び数が異なっている例を示したが、これに限らず、例えば、異なるＡＦ方式で測距エリアの位置及び数の一方であってもよい。
【図面の簡単な説明】
【００３５】
【図１】本実施の形態によるカメラを示す図である。
【図２】本実施の形態のカメラのファインダ視野５００を示す図である。
【図３】本実施の形態のカメラの背面図である。
【図４】電子ビューファインダ６００に表示されるコントラスト方式の測距エリアを示す図である。
【図５】本実施の形態のカメラの測距エリアを変更する動作を示すフローチャートである。
【符号の説明】
【００３６】
２０：撮像素子、１００：位相差方式ＡＦ検出素子、３００：エリア切り替え部材、３１０：ＡＦモード設定部、３２０：エリア切り替え制御部、３６０：コントラスト算出部、５１０，６１０：測距エリア
【図１】
2007240566.tif 000003
【図２】
2007240566.tif 000004
【図３】
2007240566.tif 000005
【図４】
2007240566.tif 000006
【図５】
2007240566.tif 000007